(57)【要約】【課題】ムービングプレートを備えたコネクタにおいて雄端子金具が変形するのを防止する。【解決手段】ムービングプレート４０は、位置決め孔４７を有する板状の本体部４２を備え、位置決め孔４７を通して本体部４２の前面側に雄端子金具１５のタブ１７の先端部が突出する初期位置から雌側ハウジング６０との嵌合に伴ってフード部１２の奥側に平行に移動して終端位置に至る。本体部４２の前面には、初期位置にて突出するタブ１７の先端部を保護するための保護壁４１が突設され、雌側ハウジング６０には保護壁４１を逃がす凹部６２が設けられている。不正姿勢をとった雌側ハウジング６０の角部６６が保護壁４１の突端に突き当たることで、この角部６６がタブ１７の先端に接触するのを回避できる。【選択図】図５
2008210614.tif 000002
【特許請求の範囲】
【請求項１】
筒状のフード部を有する雄側ハウジングと、前方から前記フード部内に嵌合される雌側ハウジングと、前記フード部内にて雄端子金具を位置決めするムービングプレートとを備え、
前記ムービングプレートは、位置決め孔を有する板状の本体部を備え、前記位置決め孔を通して前記本体部の前面側に前記雄端子金具の先端部が突出する初期位置から前記雌側ハウジングとの嵌合に伴って前記フード部の奥側に移動するようになっており、
前記本体部の前面には、前記初期位置にて突出する前記雄端子金具の先端部を保護するための保護壁が突設され、前記雌側ハウジングには前記保護壁を逃がす凹部が設けられていることを特徴とするコネクタ。
【請求項２】
前記保護壁の突端は、前記初期位置にて前記雄端子金具の先端位置と同じかまたはそれより出っ張った位置に配されていることを特徴とする請求項１に記載のコネクタ。
【請求項３】
前記保護壁は少なくとも前記本体部の相対向する二辺に沿うように配された一対の対向壁を備え、前記初期位置において、前記フード部内に前記雌側ハウジングが不正姿勢で進入してきた場合に、前記雌側ハウジングの角部が前記一対の対向壁間に配された前記雄端子金具を跨ぎつつ両対向壁に当接する構成であることを特徴とする請求項１または請求項２に記載のコネクタ。
【請求項４】
前記保護壁は、複数の前記位置決め孔からなる孔群の周りを囲うように配されていることを特徴とする請求項３に記載のコネクタ。
【発明の詳細な説明】
【技術分野】
【０００１】
本発明は、コネクタに関する。
【背景技術】
【０００２】
従来よりムービングプレートを備えたコネクタが知られている（例えば、以下の特許文献１を参照）。このコネクタは、筒状のフード部を有する雄側ハウジングとフード部内に前方から嵌合する雌側ハウジングとを備えており、ムービングプレートはフード部内にて前後方向に移動可能に収容されている。そして、ムービングプレートは、複数の位置決め孔を有する板状の本体部を備え、雌側ハウジングと未嵌合の状態では、位置決め孔を通して雄端子金具の先端部が本体部の前面側に臨むようになっており、この初期位置にて本体部の前面から突出する雄端子金具の先端部に対し前方からプローブピンを押し当てることで導通検査が行われる。
【特許文献１】特開２００６−１９６２２５公報
【発明の開示】
【発明が解決しようとする課題】
【０００３】
上記の場合、導通検査の必要性によって本体部の前面から雄端子金具の先端部が突出する構造であることに起因し、フード部内に雌側ハウジングが前後方向に対し傾いた不正姿勢をとって進入してきた場合に、雌側ハウジングの角部が雄端子金具の先端に突き当たり、雄端子金具の先端部が変形する虞があった。
【０００４】
本発明は上記のような事情に基づいて完成されたものであって、ムービングプレートを備えたコネクタにおいて雄端子金具が変形するのを防止することを目的とする。
【課題を解決するための手段】
【０００５】
上記の目的を達成するための手段として、請求項１の発明は、筒状のフード部を有する雄側ハウジングと、前方から前記フード部内に嵌合される雌側ハウジングと、前記フード部内にて雄端子金具を位置決めするムービングプレートとを備え、前記ムービングプレートは、位置決め孔を有する板状の本体部を備え、前記位置決め孔を通して前記本体部の前面側に前記雄端子金具の先端部が突出する初期位置から前記雌側ハウジングとの嵌合に伴って前記フード部の奥側に移動するようになっており、前記本体部の前面には、前記初期位置にて突出する前記雄端子金具の先端部を保護するための保護壁が突設され、前記雌側ハウジングには前記保護壁を逃がす凹部が設けられている構成としたところに特徴を有する。
【０００６】
請求項２の発明は、請求項１に記載のものにおいて、前記保護壁の突端は、前記初期位置にて前記雄端子金具の先端位置と同じかまたはそれより出っ張った位置に配されているところに特徴を有する。
【０００７】
請求項３の発明は、請求項１または請求項２に記載のものにおいて、前記保護壁は少なくとも前記本体部の相対向する二辺に沿うように配された一対の対向壁を備え、前記初期位置において、前記フード部内に前記雌側ハウジングが不正姿勢で進入してきた場合に、前記雌側ハウジングの角部が前記一対の対向壁間に配された前記雄端子金具を跨ぎつつ両対向壁に当接する構成であるところに特徴を有する。  
請求項４の発明は、請求項３に記載のものにおいて、前記保護壁は、複数の前記位置決め孔からなる孔群の周りを囲うように配されているところに特徴を有する。
【発明の効果】
【０００８】
＜請求項１の発明＞
フード部内にムービングプレートが初期位置にて収容された状態で、同フード部内に前方から不正姿勢（嵌合方向と交差する斜め姿勢）をとった雌側ハウジングが進入してきても、雌側ハウジングの角部が保護壁の突端に突き当たることで、雄端子金具が変形するのを防止できる。
【０００９】
＜請求項２の発明＞
保護壁の突端が初期位置にて雄端子金具の先端位置と同じかまたはそれより出っ張った位置に配されているから、不正姿勢をとった雌側ハウジングの角部が保護壁の突端に突き当たったときに、該角部が雄端子金具の先端に接触するのを確実に回避できる。
【００１０】
＜請求項３の発明＞
フード部内に雌側ハウジングが不正姿勢で進入してきた場合に、雌側ハウジングの角部が一対の対向壁間に配された雄端子金具を跨ぎつつ両対向壁に当接するから、雌側ハウジングの角部が両対向壁間に配された雄端子金具の先端に接触することはなく、雄端子金具が変形するのをいっそう確実に防止できる。  
＜請求項４の発明＞
保護壁が複数の位置決め孔からなる孔群の周りを囲うように配されているから、本体部の強度が高められ、本体部が外的要因によって塑性変形するのを防止できる。
【発明を実施するための最良の形態】
【００１１】
＜実施形態１＞
本発明の実施形態１を図１ないし図６によって説明する。本実施形態のコネクタは、レバー８０の回動操作に基づいて互いに嵌合可能とされる雄側ハウジング１０及び雌側ハウジング６０と、雄側ハウジング１０に装着されるムービングプレート４０とを備える。なお、以下の説明において前後方向については、両ハウジング１０，６０の嵌合面側を前方とする。
【００１２】
雌側ハウジング６０は合成樹脂製であって、全体として高さ方向（図１における上下方向）に細長いブロック状をなし、内部には、図２に示すように、雌端子金具７５を収容するためのキャビティ６１が高さ方向に並列して形成されている。雌側ハウジング６０の前面には、キャビティ６１の前面開口が整列して臨み、かつ、各キャビティ６１の集合したキャビティ６１群の外周りには凹部６２がキャビティ６１の前面開口より一段低くなるよう略Ｕの字に凹み形成されている。この凹部６２には、後述するように、両ハウジング１０，６０の嵌合時、ムービングプレート４０に設けられた保護壁４１が進入するようになっている。
【００１３】
雌側ハウジング６０の後部には電線カバー６３が嵌着され、この電線カバー６３によって雌端子金具７５に接続された電線７６の引出し方向が規定されている。また、雌側ハウジング６０の外面には、図１に示すように、前後方向に延びた嵌合リブ６４が複数形成されており、各嵌合リブ６４によって両ハウジング１０，６０の嵌合案内がなされるとともに両ハウジング１０，６０の誤嵌合が防止される。そして、雌側ハウジング６０の両側面には、高さ方向略中央部に、前後方向に延びた断面長円形をなす一対の第一カムピン６５が突設されている。
【００１４】
雄側ハウジング１０は合成樹脂製であって、高さ方向に細長いブロック状の端子保持部１１と、端子保持部１１の周縁から前方へ突出する略角筒状のフード部１２とからなる。端子保持部１１内には、複数の雄端子金具１５の端子本体１６が高さ方向に並列して収容されている。また、フード部１２内には、端子本体１６から前方へ一体に突出する細長いタブ１７が配置され、各タブ１７が対応する雌端子金具７５と接続可能となっている。そして、フード部１２の両側外面には、高さ方向略中央部に、レバー８０を支持する一対の支持軸１３が突設され、かつ、フード部１２の前端開口縁から支持軸１３に向かって真直ぐ切り欠いた一対の逃がし溝１４が凹み形成されている。両ハウジング１０，６０の嵌合時には、逃がし溝１４に第一カムピン６５が進入するようになっている。
【００１５】
ここで、レバー８０は合成樹脂製であって、図３に示すように、左右一対の板状をなすアーム部８１と、両アーム部８１を連結する操作部８２とからなり、全体として門型に形成されている。アーム部８１には支持軸１３を受ける軸受孔８３が形成されている。かかるレバー８０は、その軸受孔８３に支持軸１３を嵌合させることで、その嵌合位置を中心として、アーム部８１が高さ方向に切り立つ待機位置と、アーム部８１が雌側ハウジング６０の両側面外方を横切って操作部８２が電線カバー６３の背面に回り込む嵌合位置との間で、回動可能となっている。また、アーム部８１の内面には、軸受孔８３を略中心とする弧状のカム溝８４がアーム部８１の周縁に開口して形成されている。
【００１６】
ムービングプレート４０は同じく合成樹脂製であって、フード部１２内に配置され、各タブ１７を高さ方向及び幅方向において位置決めする役割を担っている。このムービングプレート４０は、フード部１２内にて前後方向（両ハウジング１０，６０の嵌合・離脱方向と平行な方向）への移動を可能とされ、その移動方向と略直角な板状をなす略方形の本体部４２と、本体部４２の周縁から前方へ突出する略角筒状の周壁部４３とを備えてなる。両ハウジング１０，６０の嵌合時、周壁部４３の外周面がフード部１２の内周面に摺接可能に移動するようになっている。そして、周壁部４３の内面には、図４に示すように、嵌合リブ６４と対応する位置毎に、受け溝４４が形成されている。周壁部４３の外面のうち受け溝４４と対応する部分は外側へ膨出する形態とされ、フード部１２の内面には周壁部４３の膨出部分を逃がす凹所１９が凹み形成されている。
【００１７】
周壁部４３の両側外面には、高さ方向略中央部に、前後方向に延びて周壁部４３の前端縁に開口する一対の導入溝４５が第一カムピン６５を受け入れ可能に形成されている。そして、周壁部４３の両側外面には、第二カムピン４６が導入溝４５を跨ぐようにして突出形成されている。第二カムピン４６は、正面から見ると門型をなし、その内側へ第一カムピン６５を嵌合可能となす。かかる第二カムピン４６はその内側へ第一カムピン６５が入ってきたときに、両ハウジング１０，６０の嵌合完了に至るまでの間、第一カムピン６５と合体した状態でレバー８０のカム溝８４に係合され、その後のレバー８０の回動操作により、雌側ハウジング６０とムービングプレート４０が一体となって移動するようになっている。
【００１８】
また、本体部４２には、各タブ１７を挿通するための位置決め孔４７が整列して貫通形成されている。詳しくは位置決め孔４７は、本体部４２の後面にラッパ状に拡開されることで各タブ１７の誘い込みをなす一方、本体部４２の前面に窄み状態で開口されることで各タブ１７の位置決めを保障している。かかるムービングプレート４０は、両ハウジング１０，６０の嵌合時、本体部４２がフード部１２の奥面より浮いた状態となる初期の組付け位置（以下、初期位置）から本体部４２がフード部１２の奥面に当接する嵌合完了時の位置（終端位置）にかけて移動するわけであるが、その移動経路のいずれの位置にあっても、タブ１７は位置決め孔４７に貫通した状態に保たれ、これによってタブ１７の位置決めが確実になされる。ムービングプレート４０が初期位置にあるときに、本体部４２の前面には、図５に示すように、タブ１７の先端部が突出して嵌合面側に臨むようになっており、この状態で、図示しない導通検査に供される。なお、フード部１２内における各タブ１７の先端位置は前後方向について同じ位置に揃っている。
【００１９】
さて、本体部４２の前面（雌側ハウジング６０との対向面）には、位置決め孔４７の集合した孔群４８の外回りに、保護壁４１が突設されている。この保護壁４１は、孔群４８の略全周を取り囲むような形態であって、高さ方向に分割された複数の孔群４８毎に、正面から見ると方形状に囲むようにして配されている。詳しくは保護壁４１は、フード部１２の長辺部２１（両側壁）にほぼ平行して(沿うようにして）高さ方向に延びる第一保護壁４１Ａ（本発明における対向壁）と、フード部１２の短辺部２２（上下壁）にほぼ平行して幅方向に延びる第二保護壁４１Ｂとからなり、第一保護壁４１Ａが各孔群４８に共有されて幅方向に一対設けられている一方、第二保護壁４１Ｂが各孔群４８の上下位置に複数設けられている。第二保護壁４１Ｂのうち、相互に同じ極数をもって上下で隣接する両孔群４８間を仕切るものには、その突出端面から本体部４２の前面に至る深さの割り溝４９が幅方向に延出して形成されている。
【００２０】
そして、保護壁４１は、所定厚みをもって前方に真直ぐ短筒状に突出するとともに、その突出端が前後方向についてほぼ同じ位置に揃えられており、かつ、その突出端面の内外縁（厚み方向両端縁）が切り欠かれて面取り部５１となっている。両ハウジング１０，６０の嵌合時には、雌側ハウジング６０の凹部６２に保護壁４１が嵌合し、これにより、ムービングプレート４０がフード部１２内を位置決め状態で移動可能となっている。  
また、ムービングプレート４０が初期位置にある場合に、本体部４２の前面からのタブ１７の突出量は保護壁４１の突出量より小さくなっており、つまり、図５に示すように、タブ１７の突出端は保護壁４１の突出端より後方に引っ込んだ位置に配され、言い換えると、保護壁４１の突出端はタブ１７の突出端より前方へ出っ張った位置に配されている。
【００２１】
次に、本実施形態の作用を説明する。  
まず、雌側ハウジング６０と雄側ハウジング１０を嵌合する際には、図１に示すように、周壁部４３の外周面をフード部１２の内周面に沿わせつつムービングプレート４０を初期位置に留め置くとともに、レバー８０を待機位置に保持させる。その状態で、フード部１２内に前方から雌側ハウジング６０を進入させる。この場合に、図２に示すように、雌側ハウジング６０が正規姿勢をとってフード部１２内に進入すると、つまり、雌側ハウジング６０がその前面（嵌合面）を高さ方向に沿わせるようその前面を前後軸と略直角な方向に向けた状態でフード部１２内に進入すると、ムービングプレート４０内に雌側ハウジング６０が嵌入し、雌側ハウジング６０の側面が周壁部４３によって包囲されるとともに、雌側ハウジング６０の前面が本体部４２の前面と対面する。この状態では、第一カムピン６５がレバー８０のカム溝８４の入り口に進入するとともに導入溝４５に嵌入され、第一カムピン６５と第二カムピン４６が合体した状態でカム溝８４と係合可能となる。
【００２２】
続いて、レバー８０を嵌合位置側へ回動すると、第二カムピン４６とカム溝８４との係合によるカム作用により、雌側ハウジング６０がフード部１２の奥側へ引き込まれるように相対移動し、両ハウジング１０，６０が互いに接近する。このとき、本体部４２の保護壁４１が雌側ハウジング６０の凹部６２に嵌入した状態となり、ムービングプレート４０が雌側ハウジング６０と一体となってフード部１２の奥側へ平行に移動する。ムービングプレート４０が移動する間、各タブ１７は、位置決め孔４７を貫通したままであって正しい位置に保持され、その先端側から順次雌端子金具７５内に入り込み、雌端子金具７５側との嵌合深さを増して行く。そして、ムービングプレート４０が終端位置に至ってレバー８０が嵌合位置に達すると、両ハウジング１０，６０が正規嵌合状態となり、タブ１７が雌端子金具７５に正規深さで嵌合して、両端子金具１５，７５が導通可能に接続される。
【００２３】
一方、雌側ハウジング６０が不正姿勢をとってフード部１２内に進入すると、つまり、雌側ハウジング６０の高さ方向（長手方向）両端角部６６，６７のうちのいずれか一方の角部６６が他方の角部６７に先行してフード部１２内に入るようにして、雌側ハウジング６０がその前面を高さ方向及び前後方向に対し傾けた状態でフード部１２内に進入すると、図５に示すように、一方の角部６６が、保護壁４１の突端、詳細には相対向する一対の第一保護壁４１Ａの両突端に突き当たってそこで受け止められる。このとき、一方の角部６６は、図６に示すように、両第一保護壁４１Ａ間に配されたタブ１７上を跨ぐように配され、その幅方向両端部が両第一保護壁４１Ａに当接するものの、その幅方向中間部がタブ１７と非接触状態に保たれる。したがって、雌側ハウジング６０が不正姿勢をとってフード部１２内に進入してきても、雌側ハウジング６０における一方の角部６６にタブ１７の先端が接触することはなく、つまり、保護壁４１によってタブ１７が保護状態に置かれる。なお、雌側ハウジング６０の前面が正規嵌合面に対して幅方向で傾いたり高さ方向に位置ずれした場合には、雌側ハウジング６０の前面がフード部１２の開口縁に突き当たるから、そもそも雌側ハウジング６０がフード部１２内に進入することはない。よって、雌側ハウジング６０が不正姿勢をとってフード部１２に進入する態様としては、上記した雌側ハウジング６０の前面が正規嵌合面に対して前後方向で傾いた場合のみを考慮すれば足りる。
【００２４】
以上説明したように本実施形態によれば、次の効果を奏する。  
フード部１２内に前方から不正姿勢をとった雌側ハウジング６０が進入してきた場合に、雌側ハウジング６０の角部６６が保護壁４１の突端に突き当たることで、雄端子金具１５のタブ１７との接触を回避できるから、タブ１７が塑性変形するのを防止できる。
【００２５】
また、ムービングプレート４０が初期位置にある場合に、保護壁４１の突端がタブ１７の先端より出っ張った位置に配されているから、不正姿勢をとった雌側ハウジング６０の角部６６とタブ１７との接触を確実に回避できる。  
さらに、フード部１２内に雌側ハウジング６０が不正姿勢で進入してきた場合に、雌側ハウジング６０の角部６６が第一保護壁４１Ａ間に配された雄端子金具１５のタブ１７を跨ぎつつ両第一保護壁４１Ａに当接するから、雌側ハウジング６０の角部６６がタブ１７の先端に接触することはなく、タブ１７が塑性変形するのをいっそう確実に防止できる。
【００２６】
さらにまた、保護壁４１が複数の位置決め孔４７からなる孔群４８の周りを囲うように配されているから、本体部４２の強度が高められ、本体部４２が外的要因によって塑性変形するのを防止できる。
【００２７】
＜他の実施形態＞
本発明は上記記述及び図面によって説明した実施形態に限定されるものではなく、例えば次のような実施形態も本発明の技術的範囲に含まれる。  
（１）ムービングプレートが初期位置にあるときに、一部の保護壁の突端がタブの先端より引っ込んだ位置に配されていても、他の保護壁によってタブの変形を防止できる構造であればそれでよい。  
（２）保護壁は、孔群の全周を連続して囲んでいなくてもよく断続的に囲う形態であってもよい。  
（３）保護壁は、位置決め孔毎に個別に設けられていてもよく、逆に、全ての位置決め孔に対応するよう一括して設けられていてもよい。  
（４）保護壁は、第一保護壁と第二保護壁のいずれかのみからなるものであってもよい。  
（５）保護壁の突端とタブの先端が同じ位置に揃っていてもよい。  
（６）本発明は、レバー式コネクタでないコネクタに適用可能である。
【図面の簡単な説明】
【００２８】
【図１】実施形態１において両ハウジングの嵌合が始まる前の状態を示す側断面図
【図２】両ハウジングの嵌合が始まる状態を示す側断面図
【図３】ムービングプレート及びレバーが装着された雌側ハウジングの正面図
【図４】ムービングプレートの正面図
【図５】雌側ハウジングが不正姿勢をとってフード部内に進入してきた状態を示す側断面図
【図６】雌側ハウジングが不正姿勢をとってフード部内に進入してきた状態を示す横断面図
【符号の説明】
【００２９】
１０…雄側ハウジング
１２…フード部
１５…雄端子金具
１７…タブ
４０…ムービングプレート
４１…保護壁
４１Ａ…第一保護壁（対向壁）
４１Ｂ…第二保護壁
４２…本体部
４３…周壁部
４７…位置決め孔
４８…孔群
６０…雌側ハウジング
６２…凹部
６６…角部
８０…レバー
【図１】
2008210614.tif 000003
【図２】
2008210614.tif 000004
【図３】
2008210614.tif 000005
【図４】
2008210614.tif 000006
【図５】
2008210614.tif 000007
【図６】
2008210614.tif 000008